(57)【要約】  マスカラ用の容器と、手動で動作可能なアクチュエータと、アクチュエータの動作に応答して付着ステーションへマスカラを供給するための、容器によって保持された供給機構と、アクチュエータが動作されたときに付着ステーションでマスカラを受け取るためのアプリケータブラシを有するベルトと、まつ毛へのマスカラの塗布のためのブラシを位置決めするために、アクチュエータが引き起こした容器に対するベルト移動をガイドするガイド手段と、を有するマスカラ塗布具。
2017529206.tif 000002
【特許請求の範囲】
【請求項１】
マスカラ塗布具であって、
ａ）マスカラ用の容器と、
ｂ）手動で動作可能なアクチュエータと、
ｃ）前記アクチュエータの動作に応答して付着ステーションへマスカラを供給するための、前記容器によって保持された供給機構と、
ｄ）前記アクチュエータが動作されたときに前記付着ステーションでマスカラを受け取るためのアプリケータブラシを有するベルトと、
ｅ）まつ毛へのマスカラの塗布のための前記ブラシを位置決めするために、アクチュエータが引き起こした前記容器に対するベルト移動をガイドするガイド手段と、を具備する塗布具。
【請求項２】
前記ベルトは、細長い無端ベルトである、請求額１に記載の塗布具。
【請求項３】
前記アクチュエータは、前記ベルトの延伸方向に延びた軸のまわりに回転可能である、請求額２に記載の塗布具。
【請求項４】
前記アクチュエータは、前記供給機構と前記ベルトとの両方に動作可能に連結されている、請求項２に記載の塗布具。
【請求項５】
前記ベルトは、プラスチック製の毛を備えたプラスチックベルトであり、
前記ベルトは、前記容器の一端にほぼ縦向きに延びており、前記容器は、手で保持されるために細長くなっており、これにより、前記毛は、前記容器に対して横向きになっている、請求額１に記載の塗布具。
【請求項６】
前記付着ステーションは、アクチュエータ回転に応答して、前記容器中のプッシャによって移動された液を受け取るように構成されている、請求額１に記載の塗布具。
【請求項７】
前記アクチュエータと前記ベルトとの間に動作可能に連結された第１の伝動装置を含む、請求額１に記載の塗布具。
【請求項８】
前記容器中のマスカラ液プッシャと、前記アクチュエータと前記プッシャとの間に動作可能に連結された駆動部と、を含む、請求項６に記載の塗布具。
【請求項９】
前記駆動部は、回転伝動装置を含む、請求額８に記載の塗布具。
【請求項１０】
前記アクチュエータと前記ベルトとの間に動作可能に連結された他の伝動装置を含む、請求額９に記載の塗布具。
【請求項１１】
前記アクチュエータは、前記ベルトの延伸方向に延びた軸のまわりに回転可能である、請求額１０に記載の塗布具。
【請求項１２】
ａ）スピンドルと、
ｂ）前記アクチュエータが縦軸のまわりに手動で回転されたときに前記スピンドルを横軸のまわりに回転させるように前記スピンドルと連結された第１の伝動装置と、
ｃ）前記スピンドル回転に応答して前記ベルトを縦向きに駆動させるように前記スピンドル及び前記ベルトに連結された第２の伝動装置と、を含む、請求項１に記載の塗布具。
【請求項１３】
前記第２の伝動装置は、前記ベルトの内側にギアの歯を含み、ベルトブラシが前記ベルトの外側にある、請求項１２に記載の塗布具。
【請求項１４】
前記第１の伝動装置は、互いに係合可能な、アクチュエータ部分にあって前記縦軸のまわりに延びている歯と、前記スピンドルにあって前記横軸のまわりに延びている歯と、を含む、請求項１３に記載の塗布具。
【請求項１５】
アプリケータゾーンにマスカラ流体を供給する方法であって、
ａ）付着ゾーンにマスカラを移動させるために供給ゾーンでマスカラを加圧することと、
ｂ）まつ毛への塗布のための前記マスカラアプリケータゾーンへのベルト送出のために前記付着ゾーンからマスカラをすくうように、可動ベルト上にある複数の毛を同時に使用することと、を含む、方法。
【請求項１６】
前記アプリケータゾーンへのマスカラ送出の割合は、前記付着ゾーンへのマスカラ送出の割合と比例関係にある、請求額１５に記載の方法。
【発明の詳細な説明】
【技術分野】
【０００１】
本開示は、一般的に、まつ毛への、又は他の顔のゾーンへの、マスカラなどの化粧用液の制御された供給アプリケーションに関し、特に、制御された割合で、ベルト上にあるブラシに容器からマスカラを供給するための改良された器具に関し、例えば、まつ毛へのマスカラの所望の送出に関する。
【背景技術】
【０００２】
制御された割合で目元にマスカラを正確に送出する、単純で、コンパクトで、容易に手動で制御され動作される器具が必要とされる。先の器具は、本発明によって特徴付けられる非常にコンパクトなアセンブリにおける、関連する一連の改良を欠いている。
【発明の概要】
【０００３】
本開示の主な目的は、改良されたコンパクトなマスカラ塗布具を提供することであり、この塗布具は、基本的に、  
マスカラ用の容器と、  
手動で動作可能なアクチュエータと、  
前記アクチュエータの動作に応答して付着ステーションへマスカラを供給するための、前記容器によって保持された供給機構と、  
前記アクチュエータが動作されたときに前記付着ステーションでマスカラを受け取るためのアプリケータブラシを有するベルトと、  
まつ毛へのマスカラの塗布のための前記ブラシを位置決めするために、アクチュエータが引き起こした前記容器に対するベルト移動をガイドするガイド手段と、を具備する。
【０００４】
理解されるように、ベルトは、代表的には、コンパクトな無端ベルトであり、前記機構は、手動で制御可能で回転可能なアクチュエータを含み、アクチュエータは、供給機構とベルトとの両方に動作可能に連結され、これにより、ユーザーは、ベルト上へのマスカラ流体の移動と、マスカラの塗布の正確な制御のためのユーザーのまつ毛に対するベルトブラシ移動との両方を同時に制御することができる。
【０００５】
他の目的は、スピンドルと、前記アクチュエータが縦軸のまわりに手動で回転されたときに前記スピンドルを横軸のまわりに回転させるように前記スピンドルと連結された第１の伝動装置と、前記スピンドル回転に応答して前記ベルトを縦向きに駆動させるように前記スピンドル及び前記ベルトに連結された第２の伝動装置と、を提供することである。このような第１の伝動装置は、効果的には、互いに係合される、アクチュエータ部分にあって前記縦軸のまわりに延びている歯と、前記スピンドルにあって前記横軸のまわりに延びている歯とを含むことができる。また、第２の伝動装置は、代表的には、前記ベルトの内側にギアの歯を含み、前記ベルトの外側にあるベルトブラシを備える。
【０００６】
さらに、アクチュエータが回転されたとき、アクチュエータは、付着ゾーンにマスカラを移動させるか供給するために、容器中のプッシャを移動させる。
【０００７】
これらの、及び他の目的、特徴及び効果が、本発明の例示的な好ましい実施形態の詳細とともに、以下の明細書及び図面からより十分に理解される。
【図面の簡単な説明】
【０００８】
【図１】図１は、本発明の実施形態による装置の立面図である。
【図２】図２は、キャップが取り外された状態の、図１と同様の図であり、使用する準備ができているブラシを示している。
【図３】図３は、図１の３−３線における垂直断面図である。
【図４】図４は、図３の４−４線における部分断面図である。
【図５】図５は、ブラシベルト駆動部を示す斜視図である。
【図６】図６は、装置のキャップと本体との間の駆動部の配置を示す分解図である。
【図７】図７は、ベルトに流体を供給するために流体プッシャを駆動させるベルト駆動部の要素における、拡大した部分垂直断面である。
【図８】図８は、図７の８−８線における垂直断面図である。
【図９】図９は、図８の９−９線における水平断面図である。
【図１０】図１０は、図９の１０−１０線における垂直断面図である。
【図１１】図１１は、駆動部のアクチュエータを示す斜視図である。
【図１２】図１２は、図１１の１２−１２線における断面を示す図である。
【図１３】図１３は、図９並びに図１０に示される平歯車を回転させるロータリーアクチュエータ要素を示す立面図である。
【図１４】図１４は、図１３の１４−１４線における断面図である。
【図１５】図１５は、流体プッシャを移動させるための回転可能なアクチュエータ部分の端面図である。
【図１６】図１６は、図１５の１５−１５線における断面図である。
【図１７】図１７は、図１５の１７−１７線における断面図である。
【図１８】図１８は、支持本体構造を示す部分立面図である。
【図１９】図１９は、アプリケータブラシを保持するベルトを支持して位置決めする駆動部の構造の構成を示す斜視図である。
【発明を実施するための形態】
【０００９】
まず図１ないし図３を参照すると、これらは、代表的なマスカラ塗布具１０を示しており、マスカラ塗布具１０は、概して、本体１１ａと、本体１１ａに対して縦向きに嵌められ縦向きに取り外し可能なキャップ１１ｂとを含む、マスカラ液用の容器１１を有する。概して１２で示される供給機構は、キャップ１１ｂの取り外し後、手動で回転可能なアクチュエータ１５の回転などの動作に応答して図８に１４で示される付着ステーションあるいはゾーンに本体１１ａ中のマスカラ１３を供給するために、容器によって保持されている。
【００１０】
無端ベルト１６は、アプリケータブラシ１７を有するか、アプリケータブラシ１７を保持しており、アクチュエータが動作されたとき、付着ゾーン１４のところで、本体１１ａから離れる向きの矢印１８によって示される進行方向に、及び、外部に露出したゾーン１９に向かって、マスカラ流体を受け取る、あるいはすくい上げて、ユーザーが手で保持した容器本体１１ａを手動で操作しながらユーザーのまつ毛２０に塗布する。ベルトの進行、すなわち、縦方向の移動は、概して２１で示される細長いガイド手段又は構造によってガイドされる。図８は、縦軸２２ｂのまわりのアクチュエータ１５の回転に応答して、横軸２２ａのまわりに回転可能なベルト駆動ギア２２を示している。ギアの歯２４は、ベルトを駆動させるために、ベルトと一体的なインターナルギアの歯２５と係合する。アクチュエータスリーブ３５にあるギアの歯３４は、スピンドル２７にあるギアの歯３６と係合する。スピンドル２７は、軸２２ａのまわりに回転可能である。
【００１１】
従って、第２の伝動装置は、縦軸のまわりのアクチュエータ回転に応答して横軸２２ａのまわりにスピンドルを回転させるために設けられており、また、第１の伝動装置は、前記スピンドル回転に応答して縦方向にベルトを進行させるために設けられている。特に、第１の伝動装置は、アクチュエータが縦軸２２ｂのまわりに手動で回転されたときに横軸２２ａのまわりにスピンドルを回転させるようにスピンドルと連結されており、第２の伝動装置は、このようなスピンドル回転に応答してベルトを縦向きに駆動させるためにスピンドル及びベルトと連結されている。さらに、第２の伝動装置は、ベルト内側にギアの歯２５を含み、ベルトブラシ１７がベルト外側にある。さらに、第１の伝動装置は、互いに係合可能な、アクチュエータ部分にあって縦軸のまわりに延びている歯と、スピンドルにある歯とを含む。
【００１２】
図８は、アクチュエータによって形成されたカップ形状の付着ゾーン１４を示しており、ベルトが縦向きに進んでカップ１４ａ中で１８０°向きを変えたときに、毛、すなわちブラシ１７がまつ毛塗布ゾーン１９に運ばれてマスカラ液をすくい上げることを可能にするために、ベルト１６の最下端部分１６ａが付着ゾーン中に浸される。アクチュエータが回転されたとき、マスカラ液がゾーン１９に向かって比例して送出され、カップゾーン１４は、１８０°向きを変えたブラシを与える。このようなアクチュエータ回転はまた、容器本体中のプッシャピストン４２と４１で螺合したマスカラ送出チューブ４０を回転させる。チューブ４０が回転したとき、ピストン４２は、１７ａで付着ゾーンに突出しているベルトの毛によってすくい上げたマスカラに比例した送出量で、付着ゾーン１４へと上向きに供給するために、マスカラをチューブ４０の上方に押すように、容器本体内部で上向きに駆動される。図７並びに図８はまた、カップ１４ａの壁３９ａ及びねじ付きチューブ４０の両方に４８で接続している、アクチュエータ回転可能な壁３５を示している。
【００１３】
図１０は、管状のアクチュエータの上端壁５１を示している。
【００１４】
図１９は、駆動する及び駆動される要素のガイド手段として機能するハウジング６０を示している。ハウジングの細長い部分６０ａは、ベルトの一端を保護するように延びており、ベルトハウジングの端部で、露出した逆向き進行経路でベルト１６ａをガイドするために６０ｂで終端している。ハウジングの下端６０ｄは、アクチュエータの上端に隣接して嵌まる。
【図１】
2017529206.tif 000003
【図２】
2017529206.tif 000004
【図３】
2017529206.tif 000005
【図４】
2017529206.tif 000006
【図５】
2017529206.tif 000007
【図６】
2017529206.tif 000008
【図７】
2017529206.tif 000009
【図８】
2017529206.tif 000010
【図９】
2017529206.tif 000011
【図１０】
2017529206.tif 000012
【図１１】
2017529206.tif 000013
【図１２】
2017529206.tif 000014
【図１３】
2017529206.tif 000015
【図１４】
2017529206.tif 000016
【図１５】
2017529206.tif 000017
【図１６】
2017529206.tif 000018
【図１７】
2017529206.tif 000019
【図１８】
2017529206.tif 000020
【図１９】
2017529206.tif 000021
【手続補正書】
【提出日】平成29年6月26日(2017.6.26)
【手続補正１】
【補正対象書類名】特許請求の範囲
【補正対象項目名】全文
【補正方法】変更
【補正の内容】
【特許請求の範囲】
【請求項１】
マスカラ塗布具であって、
ａ）マスカラ用の容器（１１）と、
ｂ）手動で動作可能なアクチュエータ（１５）と、
ｃ）前記アクチュエータの動作に応答して付着ステーション（１４）へマスカラを供給するために前記容器によって保持された供給機構（１２）と、
ｄ）前記アクチュエータが動作されたとき、前記付着ステーションでマスカラを受けるためのアプリケータブラシ（１７）を有するベルト（１６）と、
ｅ）まつ毛塗布ゾーン（１９）に向かってベルト移動を引き起こすアクチュエータをガイドし、まつ毛へのマスカラの塗布のために前記まつ毛塗布ゾーン（１９）で露出した逆向き進行経路で前記アプリケータブラシ（１７）を位置決めするために、前記容器に対してそこから戻るガイド手段（２１）と、を具備する塗布具。
【請求項２】
前記ベルトは、細長い無端ベルトである、請求項１に記載の塗布具。
【請求項３】
前記アクチュエータは、前記ベルトの延伸方向に延びた軸のまわりに回転可能である、請求項２に記載の塗布具。
【請求項４】
前記アクチュエータは、前記供給機構と前記ベルトとの両方に動作可能に連結されている、請求項１乃至３のいずれか１項に記載の塗布具。
【請求項５】
前記ベルトは、プラスチック製の毛を備えたプラスチックベルトであり、
前記ベルトは、前記容器の一端にほぼ縦向きに延びており、前記容器は、手で保持されるために細長くなっており、これにより、前記毛は、前記容器に対して横向きになるように運ばれる、請求項１乃至４のいずれか１項に記載の塗布具。
【請求項６】
前記付着ステーションは、アクチュエータ回転に応答して、前記容器中のプッシャによって移動された液体を受けるように構成されている、請求項１乃至５のいずれか１項に記載の塗布具。
【請求項７】
前記アクチュエータと前記ベルトとの間に動作可能に連結された伝動装置を含む、請求項１乃至６のいずれか１項に記載の塗布具。
【請求項８】
前記容器中のマスカラ液プッシャ（４２）と、前記アクチュエータと前記プッシャとの間に動作可能に連結されたドライバーと、を含む、請求項６に記載の塗布具。
【請求項９】
ｆ）スピンドル（２７）と、
ｇ）前記アクチュエータ（１５）が縦軸のまわりに手動で回転されたとき、前記スピンドルを横軸のまわりに回転させるように前記スピンドルと連結された第１の伝動装置と、
ｈ）前記スピンドルの回転に応答して前記ベルトを縦向きに駆動させるように前記スピンドル及び前記ベルトに連結された第２の伝動装置と、を含み、
ｉ）前記毛は、ベルト送出により付着ゾーンからまつ毛への塗布のための前記まつ毛塗布ゾーンへマスカラをすくうように、前記ベルトに位置されている、請求項１乃至８のいずれか１項に記載の塗布具。
【手続補正２】
【補正対象書類名】明細書
【補正対象項目名】００１１
【補正方法】変更
【補正の内容】
【００１１】
従って、第１の伝動装置は、縦軸のまわりのアクチュエータ回転に応答して横軸２２ａのまわりにスピンドルを回転させるために設けられており、また、第２の伝動装置は、前記スピンドル回転に応答して縦方向にベルトを進行させるために設けられている。特に、第１の伝動装置は、アクチュエータが縦軸２２ｂのまわりに手動で回転されたときに横軸２２ａのまわりにスピンドルを回転させるようにスピンドルと連結されており、第２の伝動装置は、このようなスピンドル回転に応答してベルトを縦向きに駆動させるためにスピンドル及びベルトと連結されている。さらに、第２の伝動装置は、ベルト内側にギアの歯２５を含み、ベルトブラシ１７がベルト外側にある。さらに、第１の伝動装置は、互いに係合可能な、アクチュエータ部分にあって縦軸のまわりに延びている歯と、スピンドルにある歯とを含む。
【手続補正３】
【補正対象書類名】明細書
【補正対象項目名】００１４
【補正方法】変更
【補正の内容】
【００１４】
図１９は、駆動する、及び駆動される要素のガイド手段として機能するハウジング６０を示している。ハウジングの細長い部分６０ａは、ベルトの一端を保護するように延びており、ベルトハウジングの端部で、露出した逆向き進行経路でベルト１６ａをガイドするために６０ｂで終端している。ハウジングの下端６０ｄは、アクチュエータの上端に隣接して嵌まる。
出願当初の特許請求の範囲に記載された事項を以下にそのまま付記する。
［１］マスカラ塗布具であって、ａ）マスカラ用の容器と、ｂ）手動で動作可能なアクチュエータと、ｃ）前記アクチュエータの動作に応答して付着ステーションへマスカラを供給するための、前記容器によって保持された供給機構と、ｄ）前記アクチュエータが動作されたときに前記付着ステーションでマスカラを受け取るためのアプリケータブラシを有するベルトと、ｅ）まつ毛へのマスカラの塗布のための前記ブラシを位置決めするために、アクチュエータが引き起こした前記容器に対するベルト移動をガイドするガイド手段と、を具備する塗布具。
［２］前記ベルトは、細長い無端ベルトである、［１］に記載の塗布具。
［３］前記アクチュエータは、前記ベルトの延伸方向に延びた軸のまわりに回転可能である、［２］に記載の塗布具。
［４］前記アクチュエータは、前記供給機構と前記ベルトとの両方に動作可能に連結されている、［２］に記載の塗布具。
［５］前記ベルトは、プラスチック製の毛を備えたプラスチックベルトであり、前記ベルトは、前記容器の一端にほぼ縦向きに延びており、前記容器は、手で保持されるために細長くなっており、これにより、前記毛は、前記容器に対して横向きになっている、［１］に記載の塗布具。
［６］前記付着ステーションは、アクチュエータ回転に応答して、前記容器中のプッシャによって移動された液体を受け取るように構成されている、［１］に記載の塗布具。
［７］前記アクチュエータと前記ベルトとの間に動作可能に連結された第１の伝動装置を含む、［１］に記載の塗布具。
［８］前記容器中のマスカラ液プッシャと、前記アクチュエータと前記プッシャとの間に動作可能に連結された駆動部と、を含む、［６］に記載の塗布具。
［９］前記駆動部は、回転伝動装置を含む、［８］に記載の塗布具。
［１０］前記アクチュエータと前記ベルトとの間に動作可能に連結された他の伝動装置を含む、［９］に記載の塗布具。
［１１］前記アクチュエータは、前記ベルトの延伸方向に延びた軸のまわりに回転可能である、［１０］に記載の塗布具。
［１２］ａ）スピンドルと、ｂ）前記アクチュエータが縦軸のまわりに手動で回転されたときに前記スピンドルを横軸のまわりに回転させるように前記スピンドルと連結された第１の伝動装置と、ｃ）前記スピンドル回転に応答して前記ベルトを縦向きに駆動させるように前記スピンドル及び前記ベルトに連結された第２の伝動装置と、を含む、［１］に記載の塗布具。
［１３］前記第２の伝動装置は、前記ベルトの内側にギアの歯を含み、ベルトブラシが前記ベルトの外側にある、［１２］に記載の塗布具。
［１４］前記第１の伝動装置は、互いに係合可能な、アクチュエータ部分にあって前記縦軸のまわりに延びている歯と、前記スピンドルにあって前記横軸のまわりに延びている歯と、を含む、［１３］に記載の塗布具。
［１５］アプリケータゾーンにマスカラ流体を供給する方法であって、ａ）付着ゾーンにマスカラを移動させるために供給ゾーンでマスカラを加圧することと、ｂ）まつ毛への塗布のための前記マスカラアプリケータゾーンへのベルト送出のために前記付着ゾーンからマスカラをすくうように、可動ベルト上にある複数の毛を同時に使用することと、を含む、方法。
［１６］前記アプリケータゾーンへのマスカラ送出の割合は、前記付着ゾーンへのマスカラ送出の割合と比例関係にある、［１５］に記載の方法。
【国際調査報告】
2017529206.tif 000022
2017529206.tif 000023